(57)【要約】【課題】液晶表示パネルの半導体装置への熱の影響を低減でき、バックライトの輝度の均一化を図ることのできる液晶表示装置の提供。【解決手段】  液晶表示パネルと、バックライトとを備える液晶表示装置であって、前記バックライトは、導光板と、前記導光板の第１辺側に並設された複数の光源からなる第１光源群と、前記第１辺の対向辺である第２辺側に並設された複数の光源からなる第２光源群とを備え、  第１光源群は、隣接する前記光源の離間距離が第１の離間距離である第１の領域と、前記離間距離が前記第１の離間距離よりも小さい第２の離間距離である第２の領域とを有し、前記第２光源群は、前記第１の領域と対向する第３の領域と、前記第２の領域と対向する第４の領域とを有し、前記第３の領域における隣接する前記光源の第３の離間距離は、前記第４の領域における隣接する前記光源の第４の離間距離よりも小さく、  前記半導体装置は前記第１の領域と対向する位置に配置される。【選択図】図１
2010243825.tif 000002
【特許請求の範囲】
【請求項１】
液晶表示パネルと、前記液晶表示パネルの背面に配置されるバックライトとを備える液晶表示装置であって、
前記バックライトは、前記液晶表示パネルの少なくも画像表示領域と対向して配置される導光板と、前記導光板の第１辺の側壁面に沿って並設された複数の光源からなる第１光源群と、前記導光板の前記第１辺の対向辺である第２辺の側壁面に沿って並設された複数の光源からなる第２光源群と、を備え、
第１光源群は、隣接する前記光源の離間距離が第１の離間距離である第１の領域と、前記離間距離が前記第１の離間距離よりも小さい第２の離間距離である第２の領域とを有し、
前記第２光源群は、前記第１の領域と対向する第３の領域と、前記第２の領域と対向する第４の領域とを有し、
前記第３の領域における隣接する前記光源の離間距離は第３の離間距離であり、
前記第４の領域における隣接する前記光源の離間距離は第４の離間距離であり、
前記第３の離間距離は前記第４の離間距離よりも小さいことを特徴とする液晶表示装置。
【請求項２】
前記液晶パネルは、前記液晶パネルの辺のうち、前記第１辺の側の辺に、少なくとも一つの半導体装置が配置され、
前記半導体装置は、前記第１の領域と対向する位置に配置されることを特徴とする請求項１に記載の液晶表示装置。
【請求項３】
前記半導体装置が複数配置されていることを特徴とする請求項２に記載の液晶表示装置。
【請求項４】
前記第１の領域に配置された前記光源の個数と前記第３の領域に配置された前記光源の個数との合計は、
前記第２の領域に配置された前記光源の個数と前記第４の領域に配置された前記光源の個数との合計に等しいことを特徴とする請求項１から請求項３のいずれか１項に記載の液晶表示装置。
【請求項５】
前記第１の離間距離と前記第２の離間距離は、第１の離間距離／第２の離間距離≦１．６の関係が成り立つことを特徴とする請求項１から請求項４のいずれか１項に記載の液晶表示装置。
【請求項６】
前記第３の離間距離と前記第４の離間距離は、第４の離間距離／第３の離間距離≦１．６の関係が成り立つことを特徴とする請求項５に記載の液晶表示装置。
【請求項７】
前記第１の離間距離と前記第４の離間距離が等しいことを特徴とする請求項１から請求項６のいずれか１項に記載の液晶表示装置。
【請求項８】
前記第２の離間距離と前記第３の離間距離が等しいことを特徴とする請求項１から請求項７のいずれか１項に記載の液晶表示装置。
【請求項９】
前記導光板の前記側壁面の幅は、
前記第１の領域と対向する位置よりも前記第２の領域と対向する位置の方が大きく、
前記第４の領域と対向する位置よりも前記第３の領域と対向する位置の方が大きいことを特徴とする請求項１から請求項８のいずれか１項に記載の液晶表示装置。
【請求項１０】
前記導光板は、表裏面の少なくとも一方の面に第１の凹部と第２の凹部とを有し、
前記第１の凹部は、前記表裏面の少なくとも一方の面のうち、前記側壁面の前記第１の領域と対向する位置と接する位置から、前記第２辺の側に延在して形成され、
前記第２の凹部は、前記表裏面の少なくとも一方の面のうち、前記側壁面の前記第４の領域と対向する位置と接する位置から、前記第１辺の側に延在して形成されていることを特徴とする請求項９に記載の液晶表示装置。
【請求項１１】
液晶表示パネルと、前記液晶表示パネルの背面に配置されるバックライトと、半導体装置とを備える液晶表示装置であって、
前記バックライトは、前記液晶表示パネルの少なくも画像表示領域と対向して配置される導光板と、前記導光板の第１辺の側壁面に沿って並設された複数の光源からなる第１光源群と、前記導光板の前記第１辺の対向辺である第２辺の側壁面に沿って並設された複数の光源からなる第２光源群とを備え、
第１光源群は、隣接する前記光源の離間距離が第１の離間距離である第１の領域と、前記離間距離が前記第１の離間距離よりも小さい第２の離間距離である第２の領域とを有し、
前記液晶パネルは、前記液晶パネルの辺のうち、前記第１辺の側の辺に、少なくとも一つの半導体装置が配置され、
前記半導体装置は、前記第１の領域と対向する位置に配置されることを特徴とする液晶表示装置。
【請求項１２】
前記半導体装置が複数配置されていることを特徴とする請求項１１に記載の液晶表示装置。
【請求項１３】
前記第１の離間距離と前記第２の離間距離は、第１の離間距離／第２の離間距離≦１．６の関係が成り立つことを特徴とする請求項１１または請求項１２に記載の液晶表示装置。
【請求項１４】
前記導光板の前記側壁面の幅は、
前記第１の領域と対向する位置よりも前記第２の領域と対向する位置の方が大きいことを特徴とする請求項１１から請求項１３のいずれか１項に記載の液晶表示装置。
【請求項１５】
前記導光板は、表裏面の少なくとも一方の面に凹部を有し、
前記凹部は、前記表裏面の少なくとも一方の面のうち、前記側壁面の前記第１の領域と対向する位置と接する位置から、前記第２辺の側に延在して形成されていることを特徴とする請求項１４に記載の液晶表示装置。
【請求項１６】
前記光源は発光ダイオードであることを特徴とする請求項１から請求項１５のいずれか１項に記載の液晶表示装置。
【発明の詳細な説明】
【技術分野】
【０００１】
本発明は液晶表示装置に係り、特に、液晶表示パネルと、この液晶表示パネルの背面に配置されいわゆるエッジライト方式と称されるバックライトとを備える液晶表示装置に関する。
【背景技術】
【０００２】
液晶表示パネルは、その画像表示領域を構成する各画素において光の透過量を制御する構成となっていることから、その背面にバックライトを備えるのが通常となっている。
【０００３】
そして、バックライトとして、たとえばエッジライト方式と称され、液晶表示パネルの少なくとも画像表示領域に対向して配置される導光板と、この導光板の少なくとも一辺の側壁面に該側壁面に沿って配置された光源とから構成さされるものがある。このようなバックライトは、前記光源からの光が、前記側壁面を通して導光板内に導かれ導光板内で反射等を繰り返えされた後に、液晶表示パネルに対向する面から照射させることによって面光源として機能させている。
【０００４】
また、光源としては、たとえば冷陰極線管等が用いられる場合もあるが、近年では、発光ダイオード（ＬＥＤ）等のように点光源に近い光源を複数並設させたものが知られるに至っている。この場合、光源は、それぞれ、等間隔で配置されている。液晶表示パネルと対向する導光板の主面において輝度の均一化を図るためである。このようなバックライトとしては、たとえば下記特許文献１に開示がなされている。
【先行技術文献】
【特許文献】
【０００５】
【特許文献１】特開２００８−８９９４４号公報
【発明の概要】
【発明が解決しようとする課題】
【０００６】
また、液晶表示パネルは、その画像表示領域の外周の少なくとも一辺に半導体装置（たとえばト゛ライハ゛ＩＣチップ）が搭載されている場合が通常である。前記半導体装置は、画像表示領域を構成する多数の画素をそれぞれ独立に駆動させるように設けられる。
【０００７】
この場合、液晶表示パネルの前記半導体装置が搭載された辺が、バックライトの前記発光ダイオード（ＬＥＤ）が複数並設された側に位置づけられて配置され、これにより、前記半導体装置に対して数個の発光ダイオードが近接して配置される場合がある。このため、前記半導体装置は、近接して配置される発光ダイオードから熱の影響を受けやすくなり、特性の劣化を引き起こし易い状態となる。
【０００８】
図３は、バックライトＢＬにおいて、導光板ＧＬＢと、この導光板ＧＬＢの側壁面に配置される発光ダイオードＬＤと、液晶表示パネル（図示せず）上の半導体装置（図中点線枠ＳＥＣで示す）との位置関係を示した平面図である。なお、図３は、本発明の実施例を示す図１と対応した図となっており、図３において以下に示す以外の構成については図１における説明を参照されたい。
【０００９】
図３において、導光板ＧＬＢの半導体装置ＳＥＣが配置される側の第１側壁面ＷＦ１には、第１側壁面ＷＦ１に沿って複数の発光ダイオードＬＤ（図中符号ＬＤ１で示す）が並設されて配置されている。これら発光ダイオードＬＤは等間隔（たとえば１０．５型の液晶表示パネルで、ピッチＷ０は１４．１ｍｍ）で配置されている。この場合、半導体装置ＳＥＣは、たとえば３個配置され、その幅Ｗ１はたとえば１９．０ｍｍで、隣接する他の半導体装置ＳＥＣとの離間距離Ｄはたとえば２３．２ｍｍとなっている。この場合、一つの半導体装置ＳＥＣに対してたとえば３個の発光ダイオードＤＬ１が近接して配置されるようになり、前記半導体装置ＳＥＣは３個の発光ダイオードＤＬ１からの熱の影響を受け易くなる。
【００１０】
なお、図３の場合、前記第１側壁面ＷＦ１と対向する第２側壁面ＷＦ２には、第２側壁面ＷＦ２に沿って複数の発光ダイオードＬＤ（図中符号ＬＤ２で示す）が並設された構成で示している。バックライトＢＬの輝度の向上を図るためである。これら発光ダイオードＬＤ２は、第１側壁面ＷＦ１に沿って配置された発光ダイオードＬＤ１と同様のピッチＷ０で等間隔に並設され、前記発光ダイオードＬＤ１に対して半ピッチずれた位置関係で配置されている。バックライトＢＬの輝度の均一化を図るためである。
【００１１】
このような構成からなるバックライトＢＬの上述した不都合を回避するため、前記半導体装置ＳＥＣに近接して配置される発光ダイオードＬＤ１の数を減らし、前記半導体装置ＳＥＣへの熱の影響を低減させることが考えられる。しかし、このようにした場合、バックライトＢＬの輝度の均一化を図ることが困難となってしまうことになる。
【００１２】
本発明の目的は、液晶表示パネルの半導体装置への熱の影響を低減でき、バックライトの輝度の均一化を図ることのできる液晶表示装置を提供することにある。
【課題を解決するための手段】
【００１３】
本発明の液晶表示装置は、たとえば、液晶表示パネルの半導体装置が搭載された側の辺に対応する導光板の辺（第１辺）の側壁面に沿って複数の発光ダイオード（第１光源群）を並設させるともに、前記第１辺の対向辺となる辺（第２辺）の側壁面に沿って複数の発光ダイオード（第２光源群）を並設させ、
前記第１光源群の発光ダイオードは前記半導体装置に近接する箇所において、疎となるように配列ピッチを変えるようにし、前記第２光源群の発光ダイオードは、前記第１光源群において発光ダイオードを疎となるようにした箇所に対向する箇所にて密となるように配列ピッチを変えるようにしたものである。
【００１４】
更に、本発明の構成は、たとえば、以下のようなものとすることができる。
【００１５】
（１）本発明の液晶表示装置は、液晶表示パネルと、前記液晶表示パネルの背面に配置されるバックライトとを備える液晶表示装置であって、
前記バックライトは、前記液晶表示パネルの少なくも画像表示領域と対向して配置される導光板と、前記導光板の第１辺の側壁面に沿って並設された複数の光源からなる第１光源群と、前記導光板の前記第１辺の対向辺である第２辺の側壁面に沿って並設された複数の光源からなる第２光源群と、を備え、
第１光源群は、隣接する前記光源の離間距離が第１の離間距離である第１の領域と、前記離間距離が前記第１の離間距離よりも小さい第２の離間距離である第２の領域とを有し、
前記第２光源群は、前記第１の領域と対向する第３の領域と、前記第２の領域と対向する第４の領域とを有し、
前記第３の領域における隣接する前記光源の離間距離は第３の離間距離であり、前記第４の領域における隣接する前記光源の離間距離は第４の離間距離であり、前記第３の離間距離は前記第４の離間距離よりも小さいことを特徴とする。
【００１６】
（２）本発明の液晶表示装置は、（１）において、前記液晶パネルは、前記液晶パネルの辺のうち、前記第１辺の側の辺に、少なくとも一つの半導体装置が配置され、前記半導体装置は、前記第１の領域と対向する位置に配置されることを特徴とする。
【００１７】
（３）本発明の液晶表示装置は、（２）において、前記半導体装置が複数配置されていることを特徴とする。
【００１８】
（４）本発明の液晶表示装置は、（１）から（３）において、前記第１の領域に配置された前記光源の個数と前記第３の領域に配置された前記光源の個数との合計は、前記第２の領域に配置された前記光源の個数と前記第４の領域に配置された前記光源の個数との合計に等しいことを特徴とする。
【００１９】
（５）本発明の液晶表示装置は、（１）から（４）において、前記第１の離間距離と前記第２の離間距離は、第１の離間距離／第２の離間距離≦１．６の関係が成り立つことを特徴とする。
【００２０】
（６）本発明の液晶表示装置は、（５）において、前記第３の離間距離と前記第４の離間距離は、第４の離間距離／第３の離間距離≦１．６の関係が成り立つことを特徴とする。
【００２１】
（７）本発明の液晶表示装置は、（１）から（６）において、前記第１の離間距離と前記第４の離間距離が等しいことを特徴とする。
【００２２】
（８）本発明の液晶表示装置は、（７）において、前記第２の離間距離と前記第３の離間距離が等しいことを特徴とする。
【００２３】
（９）本発明の液晶表示装置は、（１）から（８）において、前記導光板の前記側壁面の幅は、前記第１の領域と対向する位置よりも前記第２の領域と対向する位置の方が大きく、前記第４の領域と対向する位置よりも前記第３の領域と対向する位置の方が大きいことを特徴とする。
【００２４】
（１０）本発明の液晶表示装置は、（９）において、前記導光板は、表裏面の少なくとも一方の面に第１の凹部と第２の凹部とを有し、前記第１の凹部は、前記表裏面の少なくとも一方の面のうち、前記側壁面の前記第１の領域と対向する位置と接する位置から、前記第２辺の側に延在して形成され、前記第２の凹部は、前記表裏面の少なくとも一方の面のうち、前記側壁面の前記第４の領域と対向する位置と接する位置から、前記第１辺の側に延在して形成されていることを特徴とする。
【００２５】
（１１）本発明の液晶表示装置は、液晶表示パネルと、前記液晶表示パネルの背面に配置されるバックライトと、半導体装置とを備える液晶表示装置であって、前記バックライトは、前記液晶表示パネルの少なくも画像表示領域と対向して配置される導光板と、前記導光板の第１辺の側壁面に沿って並設された複数の光源からなる第１光源群と、前記導光板の前記第１辺の対向辺である第２辺の側壁面に沿って並設された複数の光源からなる第２光源群とを備え、第１光源群は、隣接する前記光源の離間距離が第１の離間距離である第１の領域と、前記離間距離が前記第１の離間距離よりも小さい第２の離間距離である第２の領域とを有し、前記液晶パネルは、前記液晶パネルの辺のうち、前記第１辺の側の辺に、少なくとも一つの半導体装置が配置され、前記半導体装置は、前記第１の領域と対向する位置に配置されることを特徴とする。
【００２６】
（１２）本発明の液晶表示装置は、（１１）において、前記半導体装置が複数配置されていることを特徴とする。
【００２７】
（１３）本発明の液晶表示装置は、（１１）または（１２）において、前記第１の離間距離と前記第２の離間距離は、第１の離間距離／第２の離間距離≦１．６の関係が成り立つことを特徴とする。
【００２８】
（１４）本発明の液晶表示装置は、（１１）から（１３）において、前記導光板の前記側壁面の幅は、前記第１の領域と対向する位置よりも前記第２の領域と対向する位置の方が大きいことを特徴とする。
【００２９】
（１５）本発明の液晶表示装置は、（１４）において、前記導光板は、表裏面の少なくとも一方の面に凹部を有し、前記凹部は、前記表裏面の少なくとも一方の面のうち、前記側壁面の前記第１の領域と対向する位置と接する位置から、前記第２辺の側に延在して形成されていることを特徴とする。
【００３０】
（１６）本発明の液晶表示装置は、（１）から（１５）において、前記光源は発光ダイオード（ＬＥＤ）であることを特徴とする。
【００３１】
なお、上記した構成はあくまで一例であり、本発明は、技術思想を逸脱しない範囲内で適宜変更が可能である。また、上記した構成以外の本発明の構成の例は、本願明細書全体の記載または図面から明らかにされる。
【発明の効果】
【００３２】
本発明のその他の効果については、明細書全体の記載から明らかにされる。
【図面の簡単な説明】
【００３３】
【図１】本発明の液晶表示装置のバックライトの一実施例を示す平面図である。
【図２】本発明の液晶表示装置の一実施例を示す平面図である。
【図３】従来技術の課題を明示した説明図である。
【図４】本発明の液晶表示装置のバックライトの他の実施例を示す平面図である。
【発明を実施するための形態】
【００３４】
本発明の実施例を図面を参照しながら説明する。なお、各図および各実施例において、同一または類似の構成要素には同じ符号を付し、説明を省略する。
【実施例１】
【００３５】
図２は、本発明の液晶表示装置の実施例１を示す平面図である。液晶表示装置は、液晶表示パネルＰＮＬとこの液晶表示パネルＰＮＬの後方に配置されるバックライトＢＬとから構成されている。図２では、バックライトＢＬを液晶表示パネルＰＮＬに対して若干ずらして描画しているが、実際は、バックライトＢＬは液晶表示パネルＰＮＬの背面に重ねられて配置されるようになっている。
【００３６】
液晶表示パネルＰＮＬは、液晶（図示せず）を挟持して対向配置される基板ＳＵＢ１および基板ＳＵＢ２を外囲器として構成されている。基板ＳＵＢ２は、基板ＳＵＢ１のたとえば図中下側の辺部を若干露出させるようにして前記基板ＳＵＢ１に重ねられて配置され、基板ＳＵＢ２の周辺に形成された環状のシール材ＳＬによって前記基板ＳＵＢ１に固着されるとともに、前記液晶を封入するようになっている。シール材ＳＬによって囲まれた領域は液晶表示領域ＡＲを構成し、この液晶表示領域ＡＲには、液晶を一構成要素とする多数の画素（図示せず）がマトリックス状に配置されて形成されている。
【００３７】
これら画素は、前記基板ＳＵＢ１の図中下側の辺部に搭載された半導体装置ＳＥＣ（たとえばト゛ライハ゛ＩＣチップ）からの出力信号によって独立に駆動されるようになっている。前記半導体装置ＳＥＣは、図２の場合、たとえば３個設けられ、これら半導体装置ＳＥＣは、基板ＳＵＢ１の図中下側の辺部に沿ってたとえば等間隔に配置されている。
【００３８】
前記バックライトＢＬは、いわゆるエッジライト方式と称され、導光板ＧＬＢと、この導光板ＧＬＢの側壁面に配置される発光ダイオードＬＤ等によって構成されている。導光板ＧＬＢは、矩形状の樹脂板によって構成され、少なくとも液晶表示パネルＰＮＬの液晶表示領域ＡＲに対向する大きさを有する。導光板ＧＬＢの各辺のうち、液晶表示パネルＰＮＬの前記半導体装置ＳＥＣが並設された側の辺（第１辺）の側壁面ＷＦ１に、この側壁面ＷＦ１に沿って複数の発光ダイオードＬＤ（図中符号ＬＤ１で示す）が並設されて配置されている。これら発光ダイオードＬＤ１は、前記側壁面ＷＦ１に対向して配置される配線基板ＦＢ１に搭載され、発光ダイオードＬＤ１の光照射面は前記側壁面ＷＦ１に指向するようになっている。また、導光板ＧＬＢの各辺のうち、前記側壁面ＷＦ１と対向する側壁面ＷＦ２においても、この側壁面ＷＦ２に沿って複数の発光ダイオードＬＤ（図中符号ＬＤ２で示す）が並設されて配置されている。これら発光ダイオードＬＤ２は、前記側壁面ＷＦ２に対向して配置される配線基板ＦＢ２に搭載され、発光ダイオードＬＤ２の光照射面は前記側壁面ＷＦ２に指向するようになっている。
【００３９】
このようなバックライトＢＬは、発光ダイオードＬＤ１、発光ダイオードＬＤ２からの光が、それぞれ、側壁面ＷＦ１、ＷＦ２を通して導光板ＧＬＢ内に導かれ導光板ＧＬＢ内で反射等を繰り返えされた後に、液晶表示パネルＰＮＬと対向する面から出射させることによって面光源として機能させている。そして、導光板ＧＬＢの対向する一対の側壁面ＷＦ１、ＷＦ２のそれぞれに、発光ダイオードＬＤ１、発光ダイオードＬＤ２を配置させることによって、発光ダイオードの数を増大でき、バックライトＢＬの輝度を向上させることができる。
【００４０】
なお、液晶表示パネルＰＮＬとバックライトＢＬの間には、たとえばプリズムシート等の光シートが配置される場合があるが、図２では、これらの描画を省略している。
【００４１】
図１は、前記バックライトＢＬのみを取り出して示した平面図である。また、このバックライトＢＬに液晶表示パネルＰＮＬを重ねて配置させた場合に半導体装置ＳＥＣが位置づけられる箇所を図中点線枠で示している。半導体装置ＳＥＣは、たとえば３個配置され、その幅Ｗ１は１０．５型の液晶表示パネルにおいて１９．０ｍｍで、隣接する他の半導体装置ＳＥＣとの離間距離Ｄはたとえば２３．２ｍｍとなっている。
【００４２】
そして、バックライトＢＬの前記側壁面ＷＦ１に沿って並設される発光ダイオードＤＬ１は、たとえば、図中左側から、密の領域（ＤＮ）、疎の領域（ＲＤ）、密の領域（ＤＮ）、疎の領域（ＲＤ）、密の領域（ＤＮ）、疎の領域（ＲＤ）、密の領域（ＤＮ）が確保されるように、発光ダイオードＤＬ１の離間距離が変化して並設されている。尚、図１に示すように、密の領域（ＤＮ）における発光ダイオードＤＬ１の離間距離は、疎の領域（ＲＤ）における発光ダイオードＤＬ１の離間距離よりも小さい。
【００４３】
これにより、発光ダイオードＤＬ１は、前記半導体装置ＳＥＣと近接する箇所にて疎の状態で並設され、前記半導体装置ＳＥＣと近接しない箇所にて密の状態で並設されるようになっている。この場合、たとえば、密の領域（ＤＮ）には２個の発光ダイオードＬＤ１が配置され、それらの離間距離Ｗ２はたとえば１０．０ｍｍとなっている。また、疎の領域（ＲＤ）の領域には１個の発光ダイオードＬＤ１が配置され、両側の密の領域（ＤＮ）における発光ダイオードＬＤ１との離間距離Ｗ３はたとえば１６．０ｍｍとなっている。
【００４４】
このように構成することによって、半導体装置ＳＥＣに近接して配置される発光ダイオードＬＤ１はたとえば１個となり、その両側に配置される発光ダイオードＬＤ１は、たとえば図３の場合と比較しても明らかとなるように、半導体装置ＳＥＣから遠方に配置されるようになる。このため、半導体装置ＳＥＣの発光ダイオードＬＤ１からの熱の影響を大幅に低減させることができる。
【００４５】
尚、上述のように発光ダイオードＬＤ１の離間距離が均一ではなくなるため、バックライトＢＬの輝度の不均一化が生じる可能性がある。しかし、本発明の発明者は、最大離間距離／最小離間距離≦１．６で発光ダイオードＬＤ１を配置すれば、発光ダイオードＬＤ１を不等ピッチで配置しても、実用上バックライトのバックライトＢＬの輝度の不均一は問題にならないことを確認している。よって、発光ダイオードＤＬ２は等ピッチで配置されても構わない。
【００４６】
本実施例では、発光ダイオードＬＤ１の上述した配置に伴って生じるバックライトＢＬの輝度の不均一化を更に解消するために、前記発光ダイオードＬＤ２の配置によって補償するように構成している。すなわち、バックライトＢＬの前記側壁面ＷＦ２に沿って並設される発光ダイオードＤＬ２は、たとえば、図中左側から、疎の領域（ＲＤ）、密の領域（ＤＮ）、疎の領域（ＲＤ）、密の領域（ＤＮ）、疎の領域（ＲＤ）、密の領域（ＤＮ）、疎の領域（ＲＤ）が確保されるように、発光ダイオードＤＬ２の離間距離が変化して並設されている。この場合、発光ダイオードＤＬ２の疎の領域（ＲＤ）は発光ダイオードＤＬ１の密の領域（ＤＮ）の領域に対向し、発光ダイオードＤＬ２の密の領域（ＤＮ）は発光ダイオードＤＬ１の疎の領域（ＲＤ）に対向する位置関係となっている。これにより、たとえば、密の領域（ＤＮ）には２個の発光ダイオードＬＤ２が配置され、それらの離間距離Ｗ２はたとえば１０．０ｍｍとなっている。また、疎の領域（ＲＤ）の領域には１個の発光ダイオードＬＤ２が配置され、両側の密の領域（ＤＮ）における発光ダイオードＬＤ２との離間距離Ｗ３はたとえば１６．０ｍｍとなっている。
【００４７】
このように構成した場合、発光ダイオードＬＤ１の配置によって密の領域（ＤＮ）、疎の領域（ＲＤ）が形成されるようなことがあっても、これらの領域において、発光ダイオードＬＤ２の上述した配置によって、発光ダイオードの数を等しくできるようになっている。即ち、ある一つの密の領域（ＤＮ）に形成された発光ダイオードＬＤ１の個数と、これに対向する疎の領域（ＲＤ）に形成された発光ダイオードＬＤ２の個数との合計が、互いに対向する各密の領域（ＤＮ）と疎の領域（ＲＤ）との組で、等しくなっている。このため、全体として観た発光ダイオードの配置に均衡が保たれ、バックライトＢＬの輝度の均一化が図れるようになる。
【００４８】
したがって、上述した液晶表示装置によれば、液晶表示パネルＰＮＬの半導体装置ＳＥＣへの熱の影響を低減でき、バックライトＢＬの輝度の均一化を図ることができる。
【００４９】
上述した実施例では、発光ダイオードＬＤ１、ＬＤ２のそれぞれにおいて、密の領域（ＤＮ）には２個の発光ダイオードＬＤを配置させ、疎の領域（ＲＤ）の領域には１個の発光ダイオードＬＤを配置させるようにしたものであるが、必ずしも、この数に限定されることはない。また、発光ダイオードＬＤ１、ＬＤ２のそれぞれの配列において、最大ピッチを１６．０ｍｍ、最小ピッチを１０．０ｍｍとしたものであるが、必ずしも、この数値に限定されることはない。しかし、最大ピッチ／最小ピッチ≦１．６となるように、発光ダイオードＬＤ１、ＬＤ２を配置することが望ましい。
【００５０】
また、図１では、半導体装置ＳＥＣを配置した側（発光ダイオードＬＤ１側）とそれに対向する側（発光ダイオードＬＤ２側）とで、密の領域（ＤＮ）の離間距離Ｗ２および疎の領域（ＲＤ）の離間距離Ｗ３が等しくなっているが、必ずしも等しくなくても良い。即ち、発光ダイオードＬＤ２側は、Ｗ２とは異なる密の領域（ＤＮ）の離間距離、Ｗ３とは異なる疎の領域（ＲＤ）の離間距離で、発光ダイオードＬＤ２を配置しても良い。
【実施例２】
【００５１】
図４（ａ）は、本発明の液晶表示装置の他の実施例を示す図で、図１と対応した図となっている。図４（ｂ）は、図４（ａ）のｂ−ｂ線における断面図である。
【００５２】
図４（ａ）において、発光ダイオードＬＤ１の配列状態、および発光ダイオードＬＤ２の配列状態は、図１の場合と同様となっている。
【００５３】
図１の場合と比較して異なる構成は、まず、導光板ＧＬＢの側壁面ＷＦ１側の表裏面のそれぞれにおいて、発光ダイオードＬＤ１のうち疎の領域（ＲＤ）に相当する部分に凹部ＤＮＴ（図中符号ＤＮＴ１で示す）が形成されている。この凹部ＤＮＴ１は発光ダイオードＬＤ１の配列方向に直交する方向に導光板ＧＬＢの途中まで延在され、たとえば、その延在方向に沿って深さが浅くなるように形成されている。同様に、導光板ＧＬＢの側壁面ＷＦ２側の表裏面のそれぞれにおいて、発光ダイオードＬＤ２のうち疎の領域（ＲＤ）に相当する部分に凹部ＤＮＴ（図中符号ＤＮＴ２で示す）が形成されている。この凹部ＤＮＴ２は発光ダイオードＬＤ１の配列方向に直交する方向に導光板ＧＬＢの途中まで延在され、たとえば、その延在方向に沿って深さが浅くなるように形成されている。
【００５４】
発光ダイオードＬＤを疎に配置した場合、導光板ＧＬＢ内に照射される光量が減少してしまうため、前記凹部ＤＮＴの形成によって導光板ＧＬＢの板厚を小さくし、該導光板ＧＬＢ内での光の損失を低減させるようにしたものである。これにより、バックライトＢＬの輝度の均一化を容易に行うことができるようになる。
【００５５】
なお、上述した実施例では、凹部ＤＮＴは導光板ＧＬＢの表裏面のそれぞれに形成したものであるが、いずれか一方の面であってもよい。導光板ＧＬＢの板厚を薄くするのが趣旨であるからである。
【００５６】
以上、本発明を実施例を用いて説明してきたが、これまでの各実施例で説明した構成はあくまで一例であり、本発明は、技術思想を逸脱しない範囲内で適宜変更が可能である。また、それぞれの実施例で説明した構成は、互いに矛盾しない限り、組み合わせて用いてもよい。
【符号の説明】
【００５７】
ＰＮＬ……液晶表示パネル、ＢＬ……バックライト、ＳＵＢ１、ＳＵＢ２……基板、ＳＬ……シール材、ＡＲ……液晶表示領域、ＳＥＣ……半導体装置、ＧＬＢ……導光板、ＷＦ、ＷＦ１、ＷＦ２……側壁面、ＦＢ１、ＦＢ２……配線基板、ＬＤ、ＬＤ１、ＬＤ２……発光ダイオード、ＤＮＴ、ＤＮＴ１、ＤＮＴ２……凹部。
【図１】
2010243825.tif 000003
【図２】
2010243825.tif 000004
【図３】
2010243825.tif 000005
【図４】
2010243825.tif 000006